(57)【特許請求の範囲】
【請求項１】
用紙を搬送する用紙搬送部と、この用紙搬送部で搬送される用紙に記録を行う記録部と、前記用紙搬送部にカット紙を供給するカット紙保持部と、ロール紙両端を支持するロール紙支持軸とロール紙の全部又は一部が露出するよう装置に着脱自在に係合する係合部とを有するロール紙保持部と、前記記録が終了したカット紙またはロール紙が排出される用紙排出部と、を備えた記録装置であって、
前記カット紙保持部は、カット紙を支えるカット紙保持板と、該カット紙保持板の係止部に着脱自在なカット紙保持板と、を有し、
前記着脱自在なカット紙保持板を取り外し、前記カット紙保持板の係止部に前記ロール紙保持部の係合部を係合させてロール紙保持部を取り付ける構成としたことを特徴とする記録装置。
【請求項２】
前記カット紙保持部は装置一側に用紙分離ローラに向かって下方に傾斜した状態で装置に設けられ、装置他側に前記用紙排出部が設けられることを特徴とする請求項１に記載の記録装置。
【請求項３】
前記用紙排出部にはロール紙使用時のみ作動するカッタが配備可能とされることを特徴とする請求項１または２に記載の記録装置。
【発明の詳細な説明】
【０００１】
【発明の属する技術分野】
この発明は、カット紙及びロール紙の両方が使用可能なファクシミリ装置に関する。
【０００２】
【従来の技術】
ファクシミリ装置は、受信した画像データ又はスキャナで読み取った画像データを用紙の上に可視画像として記録するため、画像の記録部を備えている。この記録部の方式には、感熱記録方式、熱転写記録方式、インクジェット記録方式、電子写真方式等が適用される。
【０００３】
この内電子写真方式は、記録部の構成が複雑で、ある程度の大きさを必要とするため、専らオフィス等で用いる中型〜大型ファクシミリ装置で採用されている。これらのファクシミリ装置では、記録紙として国際標準化機構（ＩＳＯ）で規格された、Ａ３，Ａ４，Ｂ５等の予め所定の大きさに裁断された用紙（以下カット紙という）を用いている。
【０００４】
一方、個人商店等の小さなオフィス又は家庭では、小型〜中型のファクシミリ装置が用いられている。これらの小型〜中型のファクシミリ装置では記録部に感熱記録方式、熱転写記録方式、インクジェット記録方式が採用されている。また、用紙としては、カット紙又はロール紙が採用される。とくに、感熱記録方式のファクシミリ装置では、ロール状に巻いた感熱記録紙が用いられている。
【０００５】
【発明が解決しようとする課題】
上記ロール紙を用いたファクシミリ装置では、送信される原稿の副走査方向長さに応じた長さの受信記録が得られる。例えば、心電図のチャート等長い原稿も、分割されることなくロール紙に記録され便利である。しかし、記録された用紙の長さは原稿によって変わるのでファイルをするのには不便である。
【０００６】
一方、カット紙を用いたファクシミリ装置では、記録された用紙の長さは同じになるのでファイルには便利である。しかし、上記チャート等長い原稿では、複数枚の用紙に分割されて記録されるので、見づらい問題点がある。また、メモ程度の短い原稿に対しても、カット紙１枚をまるまる使ってしまうので不経済である問題点がある。
【０００７】
従来のファクシミリ装置は、ロール紙又はカット紙のいずれかしか用いられなかったので、ユーザーはファクシミリ装置を買う場合には両者の得失を考慮し、いずれかを選択して買わなければならなかった。
【０００８】
本発明は上記課題に鑑みなされたものであり、カット紙及びロール紙のいずれかを、ユーザーが自由に選択して使用できるファクシミリ装置を提供する。
【０００９】
用紙を搬送する用紙搬送部と、この用紙搬送部で搬送される用紙に記録を行う記録部と、前記用紙搬送部にカット紙を供給するカット紙保持部と、ロール紙両端を支持するロール紙支持軸とロール紙の全部又は一部が露出するよう装置に着脱自在に係合する係合部とを有するロール紙保持部と、前記記録が終了したカット紙またはロール紙が排出される用紙排出部と、を備えた記録装置であって、
前記カット紙保持部は、カット紙を支えるカット紙保持板と、該カット紙保持板の係止部に着脱自在なカット紙保持板と、を有し、
前記着脱自在なカット紙保持板を取り外し、前記カット紙保持板の係止部に前記ロール紙保持部の係合部を係合させてロール紙保持部を取り付ける構成としたことを特徴とする。
【００１０】
請求項１の発明では、カット紙を使用するユーザーは、カット紙をカット紙保持部に装填する。また、ロール紙を使用するユーザーは、ロール紙保持部を装置に装着し、ロール紙をロール紙保持部に保持させ記録を行わせるようにする。このように、請求項１の発明はユーザーの希望に応じて、カット紙又はロール紙を自在に選択して用いることができる。
【００１１】
前記カット紙保持部は装置一側に用紙分離ローラに向かって下方に傾斜した状態で装置に設けられ、装置他側に前記用紙排出部が設けられることを特徴とする。
【００１２】
前記用紙排出部にはロール紙使用時のみ作動するカッタが配備可能とされることを特徴とする。
【００１３】
【発明の実施の形態】
本発明の実施の形態を、図１〜４に基づいて以下に説明する。本実施の形態は、熱転写方式のカット紙ファクシミリ装置に、感熱ロール紙も使用できるようにしている。
【００１４】
図１は、カット紙使用状態でのファクシミリ装置Ｆの断面を示している。ファクシミリ装置Ｆ内には、概ね上半部に原稿読み取り部１が、下半部には記録部８及び用紙搬送部１５が配置している。原稿読み取り部１には、原稿分離ローラ２、原稿分離パッド３、原稿搬送ローラ４ａ、４ｂ、プラテンローラ５、密着型イメージセンサ６が配備されている。
【００１５】
原稿分離ローラ２及び原稿分離パッド３は協同して、原稿挿入口１ａに挿入された原稿を１枚づつ分離し、搬送ローラ４ａ、４ｂに送る。搬送ローラ４ａ、４ｂは、原稿を密着型イメージセンサ６へ送る。密着型イメージセンサ６は、原稿表面の画像を光電変換し、イメージ信号を出力する。
【００１６】
プラテンローラ５は、原稿を密着型イメージセンサ６に密着させると共に、原稿に搬送力を与え、原稿が原稿排出口１ｂより排出されるようにする。原稿分離ローラ２、搬送ローラ４ａ、４ｂ、プラテンローラ５は図示しないステッピングモータにより回転駆動される。
【００１７】
原稿読み取り部１の原稿挿入口１ａには、カバー７が開閉自在に取り付けられている。カバー７は、原稿読み取り時には原稿を支持するトレイとしての機能を有するが、原稿読み取り時以外には原稿挿入口を覆い、原稿読み取り部１に埃等が進入するのを防止する。
【００１８】
記録部８には、サーマルプリントヘッド９、プラテンローラ１０、セパレータ１１及びインクドーナフィルム１２が設けられている。セパレータ１１は、カット紙からインクドナーフィルム１２を分離する。インクドナーフィルム１２は、送りだしロール１２ａから、サーマルプリントヘッド９、プラテンローラ１０との間を通り、セパレータ１１を経て、巻き取りロール１２ｂに巻き取られる。
【００１９】
送りだしロール１２ａ及び巻き取りロール１２ｂは、図示しないカセット上に支持されており、ファクシミリ装置Ｆへのインクドナーフィルムの着脱が容易に行える。なお、１３はインクドナーフィルムを導く為のガイド、１４はカット紙を排出する排出ローラである。
【００２０】
プラテンローラ１０は、サーマルプリントヘッド９に押しつけられており、カット紙を使用する場合には、インクドナーフィルム１２及びカット紙をサーマルプリントヘッド９に押しつけ、搬送力を与える。サーマルプリントヘッド９は、主走査方向（図１紙面垂直方向）に発熱素子を並べて形成したものである。これら発熱素子を選択的に発熱させることにより、インクドナーフィルム１２上のインクを軟化させ、カット紙上に付着させて画像を形成する。
【００２１】
用紙搬送部１５は、カット紙保持部１９の下端に隣接して設けられている。用紙搬送部１５には、用紙分離ローラ１６及び分離部材１７が配備されている。用紙分離ローラ１６には分離部材１７が押しつけられており、両者の摩擦力の差により、カット紙保持部１９に保持されたカット紙Ｐが一枚ずつ分離される。分離されたカット紙は、ガイド１８に沿って搬送されサーマルプリントヘッド９及びプラテンローラ１０間に導かれる。
【００２２】
カット紙保持部１９は、カット紙保持板２０、２１、押し上げ板２２、バネ２３から構成される。カット紙保持板２０は、ファクシミリ装置Ｆに傾斜状態で設けられている。押し上げ板２２の上端は、カット紙保持板２０に取り付けられる。押し上げ板２２は、その上端を中心軸として回転する。バネ２３は、押し上げ板２２の下端に図１中斜め左上方向の力を与え、カット紙Ｐの下端を用紙分離ローラ１６に押しつける。
【００２３】
カット紙保持板２０の上部には着脱自在のカット紙保持板２１が取り付けられている。カット紙保持板２０及び２１は、係止部２１ａ、２０ａで係合しており、カット紙保持板２１は、カット紙Ｐの上端部を支えている。なお、上記分離ローラ１６、プラテンローラ１０、用紙排出ローラ１４、巻き取りロール１２ｂは図示しないステッピングモータに駆動されて回転する。
【００２４】
カット紙に記録する場合には、用紙分離ローラ１６が回転してカット紙Ｐの一番上の１枚を分離して、サーマルプリントヘッド９へ搬送する。カット紙は、ガイド１８に案内されて、インクドナーフィルム１２と共にサーマルプリントヘッド９とプラテンローラ１０との間に到達する。これ以降は分離ローラ１６への回転駆動力の伝達は断たれて、分離ローラ１６はカット紙の動きに応じて空回りしている。
【００２５】
カット紙には、サーマルプリントヘッド９の発熱により、画像が１主走査線ごとに形成される。記録の終了したカット紙は、セパレータ１１でインクドナーフィルム１２が分離され、排出口８ａから外部に排出される。
【００２６】
次に感熱記録のロール紙（以下単にロール紙という）を用いる場合について、図２及び図３を参照しながら説明する。ロール紙を用いる場合には、カット紙保持板２１の代わりにロール紙保持箱２４を用いる。ロール紙保持箱２４は、カット紙保持板２１と同様の係合部２４ａ、２４ａを備えており、カット紙保持板２０の係合部２０ａ、２０ａと同様に係合することができる。
【００２７】
ロール紙保持箱２４は上方が開放した箱状であり、内側面には、上方に開放されるが底面までは到達しない凹部２４ｂが形成されている。この凹部２４ｂはロール紙支持軸２５の小径の端部２５ａ、２５ａの径より若干幅が大きくされ、端部２５ａ、２５ａが保持される。ロール紙支持軸２５は、ロール紙Ｒの軸方向長さより若干長くなっている。
【００２８】
ロール紙支持軸２５は、ロール紙Ｒの芯内に通されており、ロール紙Ｒの周面がロール紙保持箱２４の内面に接触しないように回転可能に保持しており、ロール紙Ｒが円滑に繰り出されるようにしている。なお、ロール紙支持軸２５は必ず必要なものではなく、省略することもできる。
【００２９】
ロール紙保持箱２４から繰り出されたロール紙Ｒａは、カット紙保持部１９内に導かれる。ロール紙Ｒａは、用紙分離ローラ１６の周面にそってガイド１８に導かれ、サーマルプリントヘッド９とプラテンローラ１０との間に至り、画像が記録される。なお、用紙送りの抵抗が大きい場合には、押し上げ板２２、分離部材１７の少なくとも一方を、用紙分離ローラ１６の周面から離す機構を採用してもよい。
【００３０】
この場合、感熱記録紙が用いられているので、インクドナーフィルム１２（送り出しロール１２ａ、巻き取りロール１２ｂも含む）は取り外されている。なお、普通紙のロール紙を用いる場合には、インクドナーフィルム１２は図１と同様に装着される。
【００３１】
記録の終了したロール紙Ｒｂは、排出ローラ１４を経て用紙排出部８ａから、装置外に排出される。排出されたロール紙Ｒｂは、ユーザーが手でちぎり、ファクシミリ装置Ｆより持ち去る。この時、ページ又は通信の区切りが付けやすいよう、ページ間に区切り線を記録するようにしてもよい。また、ロール紙使用時のみ作動するカッタを用紙排出部８ａに配備することもできる。
【００３２】
次の記録を開始する際には、プラテンローラ１０、分離ローラ１６を逆回転されて、ロール紙Ｒｂの先端がサーマルプリントヘッド９の位置まで引き戻すようにする。こうすれば、記録の間でロール紙の余白部分が生じず、ロール紙を経済的に使用することができる。
【００３３】
図４は、ロール紙保持部の変形例を示している。ロール紙保持部２６は、針金をまげて構成されている。ロール紙保持部２６の両端部２６ｂは、ロール紙Ｒの芯内に挿入され、ロール紙Ｒが容易に回転できるように支持する。係合部２６ａは、ロール紙保持板２０の係合部２０ａに係合し、ロール紙保持部２６が着脱自在にロール紙保持板２０上部に取り付けられる。このようにロール紙保持部を針金で構成すると、そのコストを低く抑えることができる。
【００３４】
なお、この実施の形態では、熱転写記録／感熱記録のファクシミリ装置について説明したが、その他の記録方式、例えばインクジェット方式や電子写真方式のファクシミリ装置にも適用可能である。また、上記実施の形態では、ロール紙の搬送経路とカット紙の紙パスとを共通にしているが、両方の紙パスの一部又は全部を別の紙パスとしてもよい。
【００３５】
【発明の効果】
以上説明したように、本発明によれば、カット紙かロール紙のいずれかをユーザーが自由に選択して使用することができる利点を有している。
【図面の簡単な説明】
【図１】本発明の実施の形態に係るファクシミリ装置のカット紙を使用する状態での断面図である。
【図２】同ファクシミリ装置のロール紙を使用する状態での断面図である。
【図３】同ファクシミリ装置の要部斜視図である。
【図４】ロール紙保持部の変形を示す、ファクシミリ装置の要部斜視図である。
【符号の説明】
９：サーマルプリントヘッド            Ｆ：ファクシミリ装置
１０：プラテンローラ                    Ｐ：カット紙
１２：インクドナーフィルム              Ｒ：ロール紙
１６：用紙分離ローラ
１９：カット紙保持部
２４：ロール紙保持箱
２６：ロール紙保持部
【図１】
0003564907.tif 000002
【図２】
0003564907.tif 000003
【図３】
0003564907.tif 000004
【図４】
0003564907.tif 000005